(57)【要約】【課題】  簡単な操作でフィルムの位置を被写界深度内に調整できるフィルムホルダを提供する。【解決手段】  フラットベッド型イメージスキャナの原稿台に載置されるフィルムホルダであって、フィルムを前記原稿台上に保持する本体と、前記フィルムから前記原稿台までの距離を変えるためのスペーサであって、スナップフィットによって取り外し可能に前記本体に取り付けられるスペーサと、を備えるフィルムホルダ。【選択図】    図１Ｂ
2007226095.tif 000002
【特許請求の範囲】
【請求項１】
フラットベッド型イメージスキャナの原稿台に載置されるフィルムホルダであって、
フィルムを前記原稿台上に保持する本体と、
前記フィルムから前記原稿台までの距離を変えるためのスペーサであって、スナップフィットによって取り外し可能に前記本体に取り付けられるスペーサと、
を備えるフィルムホルダ。
【請求項２】
前記スペーサは、前記原稿台に当接した状態で前記本体を支持する位置に取り付けられる、
請求項１に記載のフィルムホルダ。
【請求項３】
前記本体は、前記原稿台に向かい合う第一面に形成されている上段部と、前記第一面に形成され前記上段部よりも低い下段部とを有し、
前記本体から前記原稿台までの距離は、前記スペーサが前記上段部に圧接する第一状態と前記スペーサが前記下段部に圧接する第二状態とで異なる、
請求項２に記載のフィルムホルダ。
【請求項４】
前記スペーサは、前記第一状態になるようにも、前記第二状態になるようにも、前記本体に装着可能である、
請求項３に記載のフィルムホルダ。
【請求項５】
前記本体は挿入孔を有し、
前記スペーサは、前記上段部又は前記下段部のいずれか一方に圧接するストッパと、前記ストッパが前記上段部に圧接する第一の姿勢でも前記ストッパが前記下段部に圧接する第二の姿勢でも前記挿入孔に挿入され保持されることが可能な形状の弾性フックとを有する、
請求項４に記載のフィルムホルダ。
【請求項６】
前記本体は、前記スペーサが取り外された状態で前記原稿台に当接する当接部を有し、前記当接部が前記原稿台に当接することによって前記原稿台に支持され、
前記本体から前記原稿台までの距離は、前記第一状態と前記第二状態と前記当接部が前記原稿台に当接する第三状態とで異なる、
請求項３〜５のいずれか一項に記載のフィルムホルダ。
【請求項７】
前記当接部は前記上段部である、
請求項６に記載のフィルムホルダ。
【請求項８】
前記スペーサは、前記本体に圧接するストッパと、前記挿入孔に挿入され保持される弾性フックとを有し、
前記ストッパの前記本体に向かい合う第一面には、上段部と、前記上段部よりも低い下段部とが形成され、
前記弾性フックは、前記ストッパの前記上段部が前記本体に圧接する第一の姿勢でも前記ストッパの前記下段部が前記本体に圧接する第二の姿勢でも前記挿入孔に挿入され保持されることが可能な形状であって、
前記本体から前記原稿台までの距離は、前記第一状態と前記第二状態とで異なる、
請求項２に記載のフィルムホルダ。
【請求項９】
請求項１〜８のいずれか一項に記載のフィルムホルダを備えるフラットベッド型イメージスキャナ。
【発明の詳細な説明】
【技術分野】
【０００１】
本発明はフィルムホルダ及びフラットベッド型イメージスキャナに関し、特に読み取り対象フィルムの位置調整に関する。
【背景技術】
【０００２】
従来、銀塩カメラなどによってフィルムに記録された画像を読み取るためのイメージスキャナが知られている（例えば特許文献１、２参照）。フィルムに記録された画像を高精細に読み取るためにはイメージスキャナの結像光学系の被写界深度内にフィルムを位置決めすることが必要である。
しかし、イメージスキャナの製造公差、温度変化にともなう寸法変化、経年劣化にともなう寸法変化といった要因があるために、無調整でフィルムを被写界深度内に位置決めする構造を実現することは困難である。また、フィルムの位置調整をユーザにさせるとすれば、簡単な操作で調整できる構造が望まれる。
【０００３】
【特許文献１】特開２００５−７０２９１号公報
【特許文献２】特開２００５−１９１７３６号公報
【発明の開示】
【発明が解決しようとする課題】
【０００４】
本発明は、簡単な操作でフィルムの位置を被写界深度内に調整できるフィルムホルダ及びフラットベッド型イメージスキャナを提供することを目的とする。
【課題を解決するための手段】
【０００５】
（１）上記目的を達成するためのフィルムホルダは、フラットベッド型イメージスキャナの原稿台に載置されるフィルムホルダであって、フィルムを前記原稿台上に保持する本体と、前記フィルムから前記原稿台までの距離を変えるためのスペーサであって、スナップフィットによって取り外し可能に前記本体に取り付けられるスペーサと、を備える。
このフィルムホルダによると、フィルムから原稿台までの距離を変えるためのスペーサが、フィルムを保持する本体に取り外し可能にスナップフィットによって取り付けられるため、簡単な操作でフィルムの位置をフラットベッド型イメージスキャナの結像光学系の被写界深度内に調整することができる。尚、１つのスペーサの本体への装着状態を変えることによってフィルムから原稿台までの距離が変わってもよいし、互いに異なる複数種類のスペーサのいずれかを本体に装着することによってフィルムから原稿台までの距離が変わってもよい。
【０００６】
（２）上記目的を達成するためのフィルムホルダにおいて、前記スペーサは、前記原稿台に当接した状態で前記本体を支持する位置に取り付けられてもよい。
このフィルムホルダによると、フィルムを保持する本体全体の原稿台からの高さがスペーサによって変わる。
【０００７】
（３）上記目的を達成するためのフィルムホルダにおいて、前記本体は、前記原稿台に向かい合う第一面に形成されている上段部と、前記第一面に形成され前記上段部よりも低い下段部とを有し、前記本体から前記原稿台までの距離は、前記スペーサが前記上段部に圧接する第一状態と前記スペーサが前記下段部に圧接する第二状態とで異なってもよい。
このフィルムホルダによると、第一状態と第二状態とでは、本体から原稿台までの距離が異なるため、第一状態と第二状態とを切り換えることにより、本体に保持されるフィルムと原稿台との距離を調整することができる。
【０００８】
（４）上記目的を達成するためのフィルムホルダにおいて、前記スペーサは、前記第一状態になるようにも、前記第二状態になるようにも、前記本体に装着可能であってもよい。
このフィルムホルダによると、スペーサを交換することなくフィルムから原稿台までの距離を変えることができるため、取り扱いが容易である。
【０００９】
（５）上記目的を達成するためのフィルムホルダにおいて、前記本体は挿入孔を有し、前記スペーサは、前記上段部又は前記下段部のいずれか一方に圧接するストッパと、前記ストッパが前記上段部に圧接する第一の姿勢でも前記ストッパが前記下段部に圧接する第二の姿勢でも前記挿入孔に挿入され保持されることが可能な形状の弾性フックを有してもよい。
このフィルムホルダによると、スペーサの弾性フックを挿入孔に挿入する姿勢を変更することによって、挿入部を挿入孔に挿入した状態でのフィルムから原稿台までの距離を変えることができる。したがって、このフィルムホルダによると、フィルムから原稿台までの距離を変えることが容易である。
【００１０】
（６）上記目的を達成するためのフィルムホルダにおいて、前記本体は、前記スペーサが取り外された状態で前記原稿台に当接する当接部を有し、前記当接部が前記原稿台に当接することによって前記原稿台に支持され、前記本体から前記原稿台までの距離は、前記第一状態と前記第二状態と前記当接部が前記原稿台に当接する第三状態とで異なってもよい。
このフィルムホルダによると、原稿台と本体に保持されるフィルムとの距離を３段階に調整することができる。
【００１１】
（７）上記目的を達成するためのフィルムホルダにおいて、前記当接部は前記上段部であってもよい。
このフィルムホルダによると、スペーサを外した状態で原稿台に当接する部分とスペーサが圧接する部分との製造公差管理をまとめられるため、フィルムから原稿台までの距離として設定可能な３種類の距離のうち少なくとも２種類の距離を製造工程でより正確に管理することができる。
【００１２】
（８）上記目的を達成するためのフィルムホルダにおいて、前記スペーサは、前記本体に圧接するストッパと、前記挿入孔に挿入され保持される弾性フックとを有し、前記ストッパの前記本体に向かい合う第一面には、上段部と、前記上段部よりも低い下段部とが形成され、前記弾性フックは、前記ストッパの前記上段部が前記本体に圧接する第一の姿勢でも前記ストッパの前記下段部が前記本体に圧接する第二の姿勢でも前記挿入孔に保持されることが可能な形状であって、前記本体から前記原稿台までの距離は、前記第一状態と前記第二状態とで異なってもよい。
このフィルムホルダによると、スペーサの弾性フックを挿入孔に挿入する姿勢を変更することによって、挿入部を挿入孔に挿入した状態でのフィルムから原稿台までの距離を変えることができる。したがって、このフィルムホルダによると、フィルムから原稿台までの距離を変えることが容易である。
【００１３】
（９）上記目的を達成するためのフラットベッド型イメージスキャナは、上記（１）〜（８）で述べたフィルムホルダを備えるため、簡単な操作でフィルムの位置を結像光学系の被写界深度内に調整することができる。
【発明を実施するための最良の形態】
【００１４】
以下、実施例に基づいて本発明の実施の形態を説明する。
図２は、本発明に係る画像読み取り装置の一実施例としてのイメージスキャナ１を示す模式図である。イメージスキャナ１は、平坦な原稿台１３に載置された原稿を読み取る所謂フラットベッド型である。
【００１５】
原稿台１３はガラス板等の透明板で形成され、平坦な盤面上に印刷文書、写真、書籍、などの反射原稿や、３５ｍｍストリップフィルム等のフィルム１２を保持したフィルムホルダ１７が載置される。フィルムホルダ１７は、プラスチック等の樹脂の射出成形により形成される。フィルム１２を保持したフィルムホルダ１７が原稿台１３に載置されると、フィルム１２は光学系の被写界深度内に位置決めされる。
【００１６】
キャリッジ２６は、原稿台１３の盤面に対し平行なガイドロッド２１に摺動自在に嵌合している。キャリッジ２６は反射原稿照明部２４、ミラー２５、レンズ２３、及びイメージセンサ２２を搭載している。ミラー２５及びレンズ２３は、透過原稿照明部１１に照明された原稿の透過光と、透過原稿照明部１１に照明された原稿の反射光とをイメージセンサ２２の受光面に入射させる。キャリッジ２６は搬送用モータ１６によって駆動されるプーリ２８、１９に掛けられたベルト２１に牽引され、原稿台１３の盤面と平行に矢印Ａ、Ｂの方向に往復移動する。ミラー２５、レンズ２３、及びイメージセンサ２２がキャリッジ２６によって原稿台１３の盤面と平行な矢印Ａ、Ｂの方向に運搬されると、原稿を読み取る主走査範囲が移動する。
【００１７】
透過原稿照明部１１は、原稿台１３を挟んでキャリッジ２６と反対側に設けられる。透過原稿照明部１１は、図示しない光源、導光板、リフレクタ、及びこれらを収容するハウジングを備える。ハウジングは、キャリッジ２６等が収容される図示しない下部のハウジングにヒンジ等により搖動自在に連結されている。透過原稿照明部１１はその長手方向軸線がガイドロッド２１の長手方向軸線と平行に延びるように設けられている。透過原稿照明部１１は、原稿台１３上の所定の位置に位置決めされたフィルムホルダ１７に保持されたフィルム１２を均一な照度で照明する。
【００１８】
イメージセンサ２２は、フォトダイオード等で構成される図示しない光電変換素子が直線的に多数配列されたレンズ縮小型の所謂リニアイメージセンサである。イメージセンサ２２は多数の光電変換素子が蛍光管ランプ等で構成される反射原稿照明部２４の中心軸線と平行に並ぶ姿勢でキャリッジ２６に搭載されている。イメージセンサ２２と結像光学系とはセルフォックレンズアレイを備えた密着型イメージセンサとして構成してもよい。セルフォックレンズアレイの焦点深度は、縮小結像光学系の焦点深度よりも浅い。このため、本実施例で説明するフィルムホルダ１７の高さ調整機構の効果は、密着型イメージセンサを備えるスキャナにおいて特に顕著である。
イメージセンサコントローラ２０はイメージセンサ２２を駆動するために必要な駆動パルスをイメージセンサ２２に出力する駆動回路であり、例えば同期信号発生器、駆動用タイミングジェネレータ等から構成される。
【００１９】
ＣＰＵ３４は不揮発性記憶媒体であるＲＯＭ３５に記憶されているプログラムを実行してイメージスキャナ１の各部を制御する。ＲＡＭ３３は各種のプログラムとデータを一時的に記憶する揮発性記憶媒体である。ＲＡＭコントローラ３２は、ＣＰＵ３４、ＡＦＥ部２９、画像処理部３０、外部インタフェースコントローラ３１等とＲＡＭ３３との間のデータ転送を制御する。
キャリッジコントローラ１８は、図示しない搬送用モータ駆動回路、制御回路等から構成される。キャリッジコントローラ１８は、ＣＰＵ３４から送信されるキャリッジ搬送制御信号を受信し、搬送用モータ１６の回転方向、回転速度等を制御する。
【００２０】
第一光源コントローラ１４は、図示しないインバータ回路、制御回路等から構成され、透過原稿照明部１１の点灯、消灯を制御する。第二光源コントローラ１５は、インバータ回路、制御回路等から構成され、透過原稿照明部１１の点灯、消灯を制御する。
アナログフロントエンド（ＡＦＥ）部２９は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像をＲＡＭコントローラ３２を介してＲＡＭ３３に格納する。
【００２１】
画像処理部３０は、ＲＡＭ３３に記憶されているスキャン画像に対し、ガンマ補正、シェーディング補正等の画像処理を施すための信号処理をＣＰＵ３４と協働して行うＤＳＰ（Digital Signal Processor）である。
外部インタフェースコントローラ３１は、イメージスキャナ１とＰＣ（Personal Computer）等の外部システムとを通信可能に接続する。
【００２２】
以上、画像読み取り装置としてのイメージスキャナ１の全体構成について概要を説明した。次に、フィルムホルダ１７について詳細に説明する。
図３Ａはフィルムホルダ１７の使用状態で原稿台１３に向かい合う第一面側を上面として描かれた斜視図である。フィルムホルダ１７は、図１Ｄに示す第一状態、図１Ｃに示す第二状態、図１Ｂに示す第三状態のいずれかの状態で使用される。フィルムホルダ１７に保持されているフィルム１２と原稿台１３との距離は、第一状態、第二状態、第三状態の順に短くなる。フィルム１２と原稿台１３との距離を調整するためのスペーサ４１の個数に２個以上であれば特に制約はなく、本体４０を原稿台１３と平行な姿勢で安定して支持できるように適宜設計することができる。第一状態と第二状態は複数のスペーサ４１が本体４０のスペーサ取付部４２に取り付けられた状態である。第一状態と第二状態では、スペーサ４１が本体４０に取り付けられる方向が逆になる。ユーザは第一状態と第二状態とをスペーサ４１に形成されている矢のマーク４４によって認識することができる。第三状態はスペーサ４１が本体４０から取り外された状態である。
【００２３】
図４Ａは、原稿台１３に向かい合う本体４０の第一面側からスペーサ取付部４２を見た斜視図である。図４Ｂは、原稿台１３に向かい合う本体４０の第一面側からスペーサ取付部４２を見た平面図である。フィルムホルダ１７の本体４０には、スペーサ４１を保持するための挿入孔５１が複数形成されている。
本体４０の第一面において、挿入孔５１の周囲は、互いに平行な２つの位置決め壁４８と、互いに平行な２条のリブ４６とによって囲まれている。フィルムホルダ１７の本体４０の第一面において位置決め壁４８の端面５２は、請求項に記載の上段部に相当し、リブ５０の端面５０より高く、かつ第一面において最も高く形成されている。したがって、本体４０からスペーサ４１が取り外された状態では、位置決め壁４８の端面５２が原稿台１３に当接する。２つのリブ５０を間に挟んで２条の位置決めリブ４５、４９が互いに平行に形成されている。位置決めリブ４５、４９の端面は、請求項に記載の下段部に相当し、フィルムホルダ１７の本体４０の第一面において、位置決め壁４８の端面５２より低い。
【００２４】
図５は、スペーサ取付部４２を原稿台１３に向かい合う第一面の裏面に相当する第二面側から見た斜視図である。本体４０の第二面の挿入孔５１に隣り合う位置には、スペーサ４１を本体に掛け止めるための第一の凹部５７と第二の凹部５５と第三の凹部５６とが形成されている。フィルムホルダ１７の本体４０の第二面における高さは、第一の凹部５７の底面、第二の凹部５５の底面、第三の凹部５６の底面の順に低くなる。尚、第一の凹部５７、第二の凹部５５、第三の凹部５６のそれぞれの本体４０の厚さ方向に垂直な面を底面というものとする。
【００２５】
図１Ａ、図１Ｂ、図１Ｃは、それぞれフィルムホルダ１７の第三状態、第二状態、第一状態を示す断面図である。
図１Ａに示すように、スペーサ４１が本体４０から取り外されている第三状態では第一面において最も高く形成されている位置決め壁４８の端面５２が原稿台１３に当接し、フィルムホルダ１７の本体４０が原稿台１３によって直接支持される。
図１Ｂ、図１Ｃに示すように、スペーサ４１は、スナップフィットにより取り外し可能にフィルムホルダ１７の本体４０に取り付けられる構造である。
【００２６】
スペーサ４１のストッパ６３は板状であって、原稿台１３に当接し、本体４０を支持する部分である。ストッパ６３の本体４０に向かい合う第一面には、上段部６４と上段部６４よりも低い下段部６５とが形成されている。上段部６４は、第一状態において、位置決めリブ４５の端面５３と位置決めリブ４９の端面５４とに圧接する部分である。下段部６５は、第二状態において、位置決め壁４８の端面５２に圧接する部分である。このような関係は、板状のストッパ６３の、挿入孔５１に挿入される弾性フック５８から伸びている部分の長さと、挿入孔５１に挿入される弾性フック５９から伸びている部分の長さが互いに異なり、それら各部分の先端部の第一面側が上段部６４を形成しており、また位置決めリブ５３から挿入孔５１までの距離と位置決めリブ４９から挿入孔５１までの距離が互いに異なるからである。具体的には次のとおりである。第一状態では、挿入孔５１から遠い位置決めリブ４９に上段部６４の弾性フック５８と弾性フック５９の中間点から遠い部分が圧接し、挿入孔５１から近い位置決めリブ４５に上段部の弾性フック５８と弾性フック５９の中間点から近い部分が圧接する。一方、第二状態では、上段部６４の弾性フック５８と弾性フック５９の中間点から遠い部分は、挿入孔５１から近い位置決めリブ４５よりも挿入孔５１から遠くなるため位置決めリブ４５に接触せず、上段部６４の弾性フック５８と弾性フック５９の中間点から近い部分は、挿入孔５１から遠い位置決めリブ４９よりも挿入孔５１から近くなるため位置決めリブ４９に接触しない。
【００２７】
ストッパ６３の本体４０に向かい合う第一面からは弾性フック５８、５９が突出している。弾性フック５８、５９は、第一状態でも第二状態でも挿入孔５１に挿入可能な形状である。弾性フック５８、５９が挿入孔５１に挿入され、弾性フック５８の端部近傍に形成されている突部６１と弾性フック５９の端部近傍に形成されている突部６０とが凹部５５、５６、５７のいずれか２つにはまることにより、ストッパ６３は本体４０に掛け止められる。弾性フック５８に形成されている突部６１のストッパ６３からの高さは、弾性フック５９に形成されている突部６０のストッパ６３からの高さより低い。そして上述したとおり、本体４０の第二面においては、第一の凹部５７の底面、第二の凹部５５の底面、第三の凹部５６の底面の順に低くなっている。突部６１、６０、凹部５５、５６、５７との間にこのような関係があるため、第一状態でも第二状態でも突部６１、６０は本体４０に圧接することができる。具体的には次のとおりである。
【００２８】
図１Ｃに示す第一状態では、位置決めリブ４９の端面５４、位置決めリブ４５の端面５３にストッパ６３の上段部６４が圧接し、突部６１と第三の凹部５６の底面とが圧接し、突部６０と第二の凹部５５の底面とが圧接する。
【００２９】
図１Ｂに示す第二状態では、位置決め壁４８の端面５２にストッパ６３の下段部６５が圧接し、突部６０と第一の凹部５７の底面とが圧接し、突部６１と第二の凹部５５の底面とが圧接する。尚、第二状態では、位置決めリブ４５の端面５３とストッパ６３の第一面の下段部６５は接触しない。
【００３０】
本体４０の第一面における位置決め壁４８の端面５２の高さと位置決めリブ４５、４９の端面５３、５４の高さとの差よりも、ストッパ６３の第一面における上段部６４の高さと下段部６５の高さの差の方が大きいため、第一状態と第二状態とでは原稿台１３から本体４０までの距離が異なる（例えば距離差は０．５ｍｍ）。したがって、フィルムホルダ１７の本体４０に保持されているフィルム１２と原稿台１３との距離も、第一状態と第二状態とで異なる。
【００３１】
次にフィルム１２を本体４０に保持する構造について説明する。図６、図７、図８はいずれも本体４０の第二面（原稿台１３に向かい合う第一面の裏面）側から見た本体４０の斜視図である。フィルムホルダ１７の本体４０は、板状のベース７０とベース７０に回転可能に連結されている枠状のカバー７１とで構成されている。ベース７０には透過原稿照明部１１から放射される光を原稿台１３まで到達させるための少なくとも１つの開口部７３が形成されている。図７に示すようにベース７０の開口部７３の周辺部にフィルム１２（ハッチング部分）が載置される。図８に示すようにカバー７１が閉じられ、ベース７０に掛け止められると、フィルム１２がカバー７１とベース７０によってきつく挟まれることによって、フィルム１２が本体４０に保持される。
【００３２】
以上説明した本発明の実施例によると、図１Ａに示す第三状態、図１Ｂに示す第二状態、図１Ｃに示す第一状態のそれぞれにおいて、原稿台１３とフィルム１２との距離ｄ1、ｄ2、ｄ3が異なるため（例えばｄ3−ｄ2＝ｄ2−ｄ1＝０．５ｍｍ）、原稿台１３とフィルム１２との距離を調整することができる。また、各状態は、一種類のスペーサ４１を本体４０にスナップフィットによって２つの形態で取り付けることができる構成であるため、簡単に切り換えることができる。すなわち、本発明の実施例によると、簡単な操作でフィルムの位置を被写界深度内に調整できる。また、スペーサ４１のストッパ６３に圧接する本体４０の部分と原稿台１３に当接する本体４０の部分とが一致しているため、２つの使用状態を可能にするための部分の製造工程における寸法管理が容易である。
【００３３】
［他の実施形態］
本発明は、上記実施形態に限定されるものではなく、その要旨を逸脱しない範囲で種々の形態で実施可能である。例えば、ストッパ６３と本体４０とが当接する部分の構成は、端面の高さが互いに異なる複数のリブを必須とするものではないし、ストッパ６３の本体４０側の面に段差があることを必須とするものでもない。また、スペーサを用いることによって３つの状態を切り換えられる構成でなくとも、スペーサの脱着で２つの状態を切り換えられるより単純な構成であってもよい。また、フィルムホルダにフィルムを保持する形態は、ストリップフィルムを挟んで保持する形態に限らず、マウントフィルムを弾性のある片持ち梁形の部位で押さえて保持する形態であってもよい。
【図面の簡単な説明】
【００３４】
【図１Ａ】本発明の実施例に係る断面図。
【図１Ｂ】本発明の実施例に係る断面図。
【図１Ｃ】本発明の実施例に係る断面図。
【図２】本発明の実施例に係るブロック図。
【図３Ａ】本発明の実施例に係る斜視図。
【図３Ｂ】本発明の実施例に係る斜視図。
【図３Ｃ】本発明の実施例に係る斜視図。
【図３Ｄ】本発明の実施例に係る斜視図。
【図４Ａ】本発明の実施例に係る斜視図。
【図４Ｂ】本発明の実施例に係る平面図。
【図５】本発明の実施例に係る斜視図。
【図６】本発明の実施例に係る斜視図。
【図７】本発明の実施例に係る斜視図。
【図８】本発明の実施例に係る斜視図。
【符号の説明】
【００３５】
１：イメージスキャナ、１１：透過原稿照明部、１２：フィルム、１３：原稿台、１７：フィルムホルダ、４１：スペーサ、４２：スペーサ取付部、５１：挿入孔、５２：端面（上段部）、５３：端面（下段部）、５４：端面（下段部）、５８：弾性フック、５９：弾性フック、６０：突部、６１：突部、６３：ストッパ、６４：上段部、６５：リブ、６５：下段部
【図１Ａ】
2007226095.tif 000003
【図１Ｂ】
2007226095.tif 000004
【図１Ｃ】
2007226095.tif 000005
【図２】
2007226095.tif 000006
【図３Ａ】
2007226095.tif 000007
【図３Ｂ】
2007226095.tif 000008
【図３Ｃ】
2007226095.tif 000009
【図３Ｄ】
2007226095.tif 000010
【図４Ａ】
2007226095.tif 000011
【図４Ｂ】
2007226095.tif 000012
【図５】
2007226095.tif 000013
【図６】
2007226095.tif 000014
【図７】
2007226095.tif 000015
【図８】
2007226095.tif 000016